(57)【要約】【課題】  運用中の回線に使用を及ぼすことなく、特定回線の呼接続正常性を確認する。【解決手段】  ＰＳＴＮ網に属するＰＢＸ４とＩＰ網に属するＳＳ７との間に接続され、各装置間の通信を可能とするＡＧＷ１であって、ＰＢＸ４と間に接続される回線群２の中から予め指定した回線２１を閉塞する閉塞手段と、ＳＳ７からのアクセスをその閉塞回線を介してＰＢＸ４に着信させる着信制御手段とを実行する加入者側管理部Ａ５を有する構成としてある。【選択図】  図１
2009177545.tif 000002
【特許請求の範囲】
【請求項１】
二以上のネットワーク間に配置され、各ネットワークに属する装置間の通信を可能とする中継装置であって、
ネットワークに属する装置との間に接続される回線群の中から予め指定した回線を閉塞する手段と、
閉塞された前記回線を介して一のネットワークに属する装置と他のネットワークに属する装置との通信を中継する手段と、
を備えることを特徴とする中継装置。
【請求項２】
一のネットワークに属する装置との間に接続される回線群の中から予め指定された回線を閉塞させる閉塞手段と、
前記閉塞手段によって閉塞された回線に対応する識別子を設定する識別子設定手段と、
他のネットワークに属する装置からのアクセス信号であって、所定の識別子が付されたアクセス信号を受信するアクセス受信手段と、
受信した前記アクセス信号に付された識別子に対応する回線を選択する回線選択手段と、
前記アクセス受信手段によって受信されたアクセス信号に応ずる呼を、前記回線選択手段により選択された回線を介して前記一のネットワークに属する装置に着信させる着信制御手段と、を備える請求項１記載の中継装置。
【請求項３】
前記識別子設定手段によって設定された識別子を所定のアクセス信号に付して前記他のネットワークに属する装置に送信するアクセス送信手段を備え、
前記アクセス受信手段は、
前記アクセス送信手段が送信したアクセス信号に応答する信号であって、前記識別子と同一の識別子が付されたアクセス信号を前記他のネットワークに属する装置から受信する請求項１又は２記載の中継装置。
【請求項４】
ＩＰ網とＰＳＴＮ網との間に配置され、前記ＩＰ網に属する装置とＰＳＴＮ網に属する装置との通信を可能とする請求項１乃至３のいずれか一項記載の中継装置。
【請求項５】
前記ＩＰ網はＳＩＰベースのＶｏＩＰ網であり、当該ＶｏＩＰ網に属する装置はＳＩＰサーバである請求項４記載の中継装置。
【請求項６】
前記ＰＳＴＮ網に属する装置は、ＰＢＸである請求項４記載の中継装置。
【請求項７】
前記アクセス受信手段は、他のネットワークに属する装置からのＳＩＰメッセージであって、所定の識別子が含まれたＳＩＰメッセージを受信し、
前記回線選択手段は、受信した前記ＳＩＰメッセージに含まれている識別子に対応する回線を選択し、
前記着信制御手段は、前記受信したＳＩＰメッセージに応ずる呼を、前記回線選択手段により選択された回線を介して一のネットワークに属する装置に着信させる請求項２乃至６のいずれか一項記載の中継装置。
【請求項８】
前記アクセス送信手段は、前記閉塞手段によって閉塞された回線に対応する識別子を所定のＳＩＰメッセージに含めて前記他のネットワークに属する装置に送信し、
前記アクセス受信手段は、前記送信されたＳＩＰメッセージに応答するメッセージであって、前記識別子と同一の識別子が付されたＳＩＰメッセージを前記他のネットワークに属する装置から受信する請求項３乃至７のいずれか一項記載の中継装置。
【請求項９】
一のネットワークに属する装置と、他のネットワークに属する装置と、前記各装置間の通信を可能とする中継装置と、からなる回線制御システムであって、
前記中継装置は、
前記一のネットワークに属する装置との間に接続される回線群の中から予め指定した回線を閉塞する手段と、
閉塞された前記回線を介して前記一のネットワークに属する装置と他のネットワークに属する装置との通信を中継する手段と、
を備えることを特徴とする回線制御システム。
【請求項１０】
前記中継装置は、
一のネットワークに属する装置との間に接続される回線群の中から予め指定された回線を閉塞させる閉塞手段と、
前記閉塞手段によって閉塞された回線に対応する識別子を設定する識別子設定手段と、
設定した前記識別子を所定のアクセス信号に付して他のネットワークに属する装置に発信するアクセス送信手段と、
他のネットワークに属する装置からのアクセス信号であって、所定の識別子が付されたアクセス信号を受信するアクセス受信手段と、
受信したアクセス信号に付されている識別子に対応する回線を選択する回線選択手段と、
前記アクセス受信手段によって受信されたアクセス信号に応ずる呼を、前記回線選択手段により選択された回線を介して前記一のネットワークに属する装置に着信させる着信制御手段と、を備え、
前記他のネットワークに属する装置は、
前記中継装置から送信されたアクセス信号に応答する信号であって、前記識別子と同一の識別子が付されたアクセス信号を前記中継装置に送信するアクセス送信手段を、備える請求項９記載の回線制御システム。
【請求項１１】
二以上のネットワーク間に配置され、各ネットワークに属する装置間の通信を可能とする中継装置によって行う回線制御方法であって、
ネットワークに属する装置との間に接続される回線群の中から予め指定した回線を閉塞するステップと、
閉塞された前記回線を介して一のネットワークに属する装置と他のネットワークに属する装置との通信を中継するステップと、
有することを特徴とする回線制御方法。
【請求項１２】
ネットワークに属する装置との間に接続される回線群の中から予め指定された回線を閉塞させる閉塞ステップと、
前記閉塞ステップによって閉塞された回線に対応する識別子を設定する識別子設定ステップと、
他のネットワークに属する装置からのアクセス信号であって、所定の識別子が付されたアクセス信号を受信するアクセス受信ステップと、
受信した前記アクセス信号に付されている識別子に対応する回線を選択する回線選択ステップと、
前記アクセス受信ステップによって受信されたアクセス信号に応ずる呼を、前記回線選択ステップにより選択された回線を介して前記ネットワークに属する装置に着信させる着信制御ステップと、を有する請求項１１記載の回線制御方法。
【請求項１３】
二以上のネットワーク間に配置され、各ネットワークに属する装置間の通信を可能とする中継装置における回線制御プログラムであって、
前記中継装置を構成するコンピュータを、
ネットワークに属する装置との間に接続される回線群の中から予め指定した回線を閉塞する手段、
閉塞された前記回線を介して一のネットワークに属する装置と他のネットワークに属する装置との通信を中継する手段、
として機能させるための回線制御プログラム。
【請求項１４】
前記中継装置を構成するコンピュータを、
ネットワークに属する装置との間に接続される回線群の中から予め指定された回線を閉塞させる閉塞手段、
前記閉塞手段によって閉塞された回線に対応する識別子を設定する識別子設定手段、
他のネットワークに属する装置からのアクセス信号であって、所定の識別子が付されたアクセス信号を受信するアクセス受信手段、
受信した前記アクセス信号に付されている識別子に対応する回線を選択する回線選択手段、
前記アクセス受信手段によって受信されたアクセス信号に応ずる呼を、前記回線選択手段により選択された回線を介して前記ネットワークに属する装置に着信させる着信制御手段、として機能させる請求項１３記載の回線制御プログラム。
【発明の詳細な説明】
【技術分野】
【０００１】
本発明は、複数のネットワーク間の通信を可能とする中継装置に関し、より詳しくは、各ネットワークに属する装置間の通信を、所定回線を介して中継する制御を行う中継装置、回線制御システム、回線制御方法及び回線制御プログラムに関する。
【背景技術】
【０００２】
ＶｏＩＰ（Voice  over  Internet  Protocol）を採用した電話交換システムの一例が特許文献１に記載されている。
特許文献１のＶｏＩＰトランク装置は、交換機インタフェースとＩＰインタフェースとを有しこれらインタフェース相互間で呼制御信号及び音声信号を送受信するものであって、ＩＰインタフェースに付与された複数のＩＰアドレスと交換機インタフェースに接続する複数の電話回線とを各々対応づけて記憶する記憶手段と、ＩＰインタフェースを通じてＩＰ網からのＩＰアドレスを受信するとこのＩＰアドレスに対応した電話番号を記憶手段から検索する検索手段と、交換機インタフェースを通じて検索手段にて検索された電話番号に関わる電話回線への着信動作を実行する制御手段と、から構成されている。
このような構成からなるＶｏＩＰトランク装置によれば、従来はＩＰ網側からの着信に際しゲートウェイ配下の電話機を特定することができなかったが、ＩＰ網側の発信端末からの指定に応じて特定の電話機（電話回線）に着信させることができるようになった。
【０００３】
【特許文献１】特開２００３−３１９０６６号公報（第１−５頁、第２図）
【発明の開示】
【発明が解決しようとする課題】
【０００４】
しかしながら、上述したＶｏＩＰトランク装置においては、指定の電話機（電話回線）に着信させることは可能となるが、ＰＢＸ（Private  Branch  eXchange：構内交換機）の前段に収容され、ＴＳＷ（Time  SWitch：時分割スイッチ）と接続されるＯＤＴ（Out-Band  Dialing  Trunk）回線を指定して捕捉させることは不可能であった。
ここで、一般的なＶｏＩＰ電話交換システムにおける上記問題点について図面を参照しながら詳細に説明する。
図７は、電話網とＩＰ網とを中継する従来のアクセスゲートウェイ（ＡＧＷ）を模式的に示した模式図であり、具体的には、ＡＧＷ１’を介し、ＳＳ（Session  Initiation  Protocol  Server：ＳＩＰサーバ）７側からＰＢＸ４側に対して着信が行われる様子を示した模式図である。
【０００５】
図７に示す電話交換システムにおいて、例えば、加入者４１〜４３が外部との通信の際に利用される回線、すなわちトランク回線として回線群２がテーブルＴ１に設定されていた場合、ＳＳ７側から加入者４１への着信があったとき、通常は、回線群２に含まれる回線２１〜２３のうちいずれか一の空き回線が無作為に選択されて加入者４１に着信される。
ただし、例えば回線２１が障害中で、かつ、回線２２が使用中のような場合には、図７に示すように、着信回線は、自ら回線２３が選択されて着信が行われることとなる。
【０００６】
このように、上記のような電話交換システムにおいては、着信時には、回線の状態による場合を除いては、原則として、特定のトランク回線を指定して着信させることはできなかった。
このため、図７に示すＡＧＷ１’のような中継装置において、例えば、特定回線を対象とした着信時の呼接続正常性を確認するような場合は、回線群２に含まれる回線のうち、試験対象回線以外の回線を閉塞し、強制的に試験対象回線を介して着信させる方法が考えられる。
【０００７】
しかしながら、このような試験方法では、試験対象回線以外の回線が使用できなくなるため、運用中には実施することが困難であった。
また、試験対象回線のみからなる別回線群を新たに設定し、この回線群に着信させるようにルートデータを設定する方法も考えられるが、試験の度にデータ変更等を行う必要があり、現実の実施は困難である。
特に、代表群等の複雑な局データが設定されている場合、他ノードの局データも変更する必要がある等、設定変更に要する作業量が膨大となり、運用中の設定変更は極めて困難であった。
【０００８】
本発明の目的は、上述した課題である運用中の回線に影響を与える問題を発生することなく、特定回線における着信時の呼接続正常性を確認することが可能な中継装置、回線制御システム、回線制御方法及び回線制御プログラムを提供することにある。
【課題を解決するための手段】
【０００９】
上記目的を達成するため、本発明の中継装置は、二以上のネットワーク間に配置され、各ネットワークに属する装置間の通信を可能とする中継装置であって、ネットワークに属する装置との間に接続される回線群の中から予め指定した回線を閉塞する手段と、閉塞された前記回線を介して一のネットワークに属する装置と他のネットワークに属する装置との通信を中継する手段と、を備えた構成としてある。
【００１０】
また、本発明の回線制御システムは、一のネットワークに属する装置と、他のネットワークに属する装置と、前記各装置間の通信を可能とする中継装置と、からなる回線制御システムであって、前記中継装置は、前記一のネットワークに属する装置との間に接続される回線群の中から予め指定した回線を閉塞する手段と、閉塞された前記回線を介して前記一のネットワークに属する装置と他のネットワークに属する装置との通信を中継する手段と、を備えた構成としてある。
【００１１】
また、本発明の回線制御方法は、二以上のネットワーク間に配置され、各ネットワークに属する装置間の通信を可能とする中継装置によって行う回線制御方法であって、ネットワークに属する装置との間に接続される回線群の中から予め指定した回線を閉塞するステップと、閉塞された前記回線を介して一のネットワークに属する装置と他のネットワークに属する装置との通信を中継するステップと、を有する方法としてある。
【００１２】
さらに、本発明の回線制御プログラムは、二以上のネットワーク間に配置され、各ネットワークに属する装置間の通信を可能とする中継装置における回線制御プログラムであって、前記中継装置を構成するコンピュータを、ネットワークに属する装置との間に接続される回線群の中から予め指定した回線を閉塞する手段、閉塞された前記回線を介して一のネットワークに属する装置と他のネットワークに属する装置との通信を中継する手段、として機能させるためのプログラムとしてある。
【発明の効果】
【００１３】
本発明によれば、ユーザの指定に応じ任意の回線を介したネットワーク間通信が行えるようになる。
このため、運用中の回線に支障を及ぼすことなく、特定回線について正常性の確認試験等を実施することも可能となる。
【発明を実施するための最良の形態】
【００１４】
以下、本発明の好ましい実施形態について図１〜図７を参照して説明する。
ここで、以下に示す本発明の一実施形態に係るアクセスゲートウェイ（以下、ＡＧＷという。）は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態のＡＧＷにおける各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１５】
［第一実施形態］
図１は、本発明の第一実施形態に係るＡＧＷ１の構成を示した機能ブロック図である。
図１に示すように、本実施形態に係るＡＧＷ１は、ＰＢＸ４とＳＳ７との間に接続されており、本発明の中継装置を構成するものである。
ＰＢＸ４は既存ＰＳＴＮ（Public  Switched  Telephone  Network）網に、ＳＳ７はＩＰ網（ＶｏＩＰ網）に、それぞれ属している装置であり、ＡＧＷ１はこれら装置同士の通信を可能とするものである。
なお、ＰＢＸ４は、加入者が外部との通信を行うために必要な通話路を確保するものであり、本実施形態においては、回線群２を構成する回線２１〜２３と加入者４１〜４３との接続制御を行い、外部（この場合ＡＧＷ１又はＳＳ７以降のＩＰ網）との通信を可能とするものである。
また、ＳＳ７は、ＶｏＩＰ網における端末同士の通信をＳＩＰメッセージの送受、転送等を行うことによって実現するものである。
【００１６】
本実施形態に係るＡＧＷ１は、主に、保守制御部Ａ３、加入者プロトコル制御部Ａ４、加入者側管理部Ａ５、呼制御部Ａ６及びＳＩＰ制御部Ａ７によって所定の回線制御を行っている。
保守制御部Ａ３は、回線閉塞（本発明の閉塞手段）や試験呼発信時のコマンド制御を行う他、ハードＡ１に対する試験閉塞や試験呼発信を要求するものである。
加入者プロトコル制御部Ａ４は、加入者側プロトコルを終端したうえで加入者側管理部Ａ５から必要な情報を取得し、呼制御部Ａ６や加入者側へ係る情報を通知するものである。
加入者側管理部Ａ５は、回線状態管理、回線選択（本発明の回線選択手段）、試験呼識別子管理（本発明の識別子設定手段）等を行うものであり、加入者回線や加入者に関するデータを管理している。
また、ＰＢＸ４との間に接続されている回線群２の中から予め指定され閉塞処理が行われた一回線（回線２１）を介して着信を行わせる着信制御手段も備えている。
【００１７】
呼制御部Ａ６は、プロトコルに依存しない共通呼処理機能を有するものである。
ＳＩＰ制御部Ａ７は、ＳＩＰ（Session  Initiation  Protocol）を終端し、ＳＩＰベースのＶｏＩＰ（Voice  over  Internet  Protocol）網とのインターワークを提供するものである。
本実施形態においては、ＳＳ７との間でＳＩＰメッセージの送信（本発明のアクセス送信手段）及び受信（本発明のアクセス受信手段）を行うことによって、擬似的にＶｏＩＰ網からのアクセスを実現するものである。
【００１８】
次に、以上のような構成からなる本実施形態のＡＧＷ１における動作手順について図面を参照しながら説明する。
図２は、本発明の第一実施形態に係るＡＧＷ１を介したアクセス制御を模式的に表した模式図であり、図３乃至図５は、本実施形態に係るＡＧＷ１の動作手順を示したシーケンス図である。
【００１９】
図２に示すように、本実施形態に係るＡＧＷ１は、ＳＳ７側からＰＢＸ４の加入者４１へのアクセスを、ＡＧＷ１を介して中継するものであり、特に、本実施形態においては、回線群２の中から予めユーザが指定した回線２１を介して回線試験を行うことを前提としている。
なお、加入者４１〜４３が外部との通信の際に利用される回線として回線群２がテーブルＴ１に設定されているものとし、回線２１乃至２３は本試験を行う前の段階ではすべて正常であるものとする。
すなわち、ＳＳ７からのアクセスをＰＢＸ４側に呼として着信させる場合、通常は、回線群２を構成する回線２１乃至２３のうち、正常な空き回線のいずれかが無作為に捕捉されて着信されるが、本実施形態のＡＧＷ１で行う回線試験では、回線群２の中の一回線（回線２１）に特定して着信を行わせることを目的とするものである。
【００２０】
まず、図３に示すように、本実施形態にＡＧＷ１は、所定コマンドの投入に応じ、保守制御部Ａ３が、加入者管理部Ａ５に試験対象回線の閉塞と試験呼識別子の設定を要求する（Ｂ１）。
加入者側管理部Ａ５は、試験対象回線の閉塞と所定の試験呼識別子（c1）を設定し保守制御部Ａ３に応答を返す（Ｂ２）。
なお、この設定を行うことにより、試験呼識別子（c1）が付された呼以外の呼は試験対象回線に接続不可能となる。
【００２１】
次に、本実施形態における試験呼発信の手順について図面を参照しながら説明する。
図４は、本実施形態に係るＡＧＷ１における試験呼発信時の動作手順を示したシーケンス図である。
図４に示すように、まず、ＡＧＷ１は、所定コマンドの投入に応じ、保守制御部Ａ３が、加入者側管理部Ａ５に対し、試験呼発信時に使用する試験呼に付する試験呼識別子を設定するよう要求を行う（Ｓ１）。
なお、この試験識別子は、ステップＢ２において加入者側管理部Ａ５によって設定された試験呼識別子（c1）である。
【００２２】
次に、加入者側管理部Ａ５は、これを受けて発信用試験呼識別子として、試験呼識別子（c1）を設定し、保守制御部Ａ３に応答する（Ｓ２）。
保守制御部Ａ３は、加入者側管理部Ａ５からの応答を受信すると、ドライバＡ２経由でハードＡ１に対して試験呼発信を要求する（Ｓ３，Ｓ４）。
そして、ハードＡ１は、保守制御部Ａ３からの試験呼発信要求を受け、所定の試験発信回線から試験呼を発信する（Ｓ５）。
次いで、加入者プロトコル制御部Ａ４は、ドライバＡ２経由で試験呼を受信し（Ｓ６）、加入者側管理部Ａ５に試験呼識別子の設定を要求する（Ｓ７）。
なお、この試験識別子は、ステップＳ２において加入者側管理部Ａ５が設定した発信用試験呼識別子（c1）である。
【００２３】
これを受け、加入者側管理部Ａ５は、試験呼に発信用試験呼識別子（c1）を付した後、加入者プロトコル制御部Ａ４に送信する（Ｓ８）。
次いで、加入者プロトコル制御部Ａ４は、発信用試験呼識別子（c1）を含む試験呼を呼制御部Ａ６経由でＳＩＰ制御部Ａ７に送信する（Ｓ９，Ｓ１０）。
そして、ＳＩＰ制御部Ａ７は、試験呼に含まれる発信用試験識別子（c1）をＳＩＰメッセージのFromヘッダのｃｐｃ（the  Calling  Party's  Category：発信者種別）のパラメータに設定し、ＳＳ７にＳＩＰメッセージ（INVITE）を送信する（Ｓ１１）。
例えば、cpc＝１とする試験識別子を設定した場合、
「From:”XXXX”<sip:XXXX@DDD.DDD.DDD.DDD:5060;user=phone;cpc=c1>;tag=DDDDDDD」といったＳＩＰメッセージを送信する。
【００２４】
次に、本実施形態における試験呼受信の手順について図面を参照しながら説明する。
図５は、本実施形態に係るＡＧＷ１における試験呼受信時の動作手順を示したシーケンス図である。
図５に示すように、ＡＧＷ１は、まず、ＳＩＰ制御部Ａ７が、ＳＳ７から試験識別子（c1）を含むＳＩＰメッセージ（INVITE）を受信し、その試験識別子（c1）を取得する（Ｒ１）。
【００２５】
次に、ＳＩＰ制御部Ａ７は、試験呼にその試験呼識別子（c1）を設定し、呼制御部Ａ６経由で加入者プロトコル制御部Ａ４に送信する（Ｒ２，Ｒ３）。
加入者プロトコル制御部Ａ４は、試験呼を受信すると、加入者側管理部Ａ５に試験呼識別子（c1）を送信するとともに、着信回線選択の要求を行う（Ｒ４）。
加入者側管理部Ａ５は、受信した試験呼識別子（c1）に関連づけて閉塞されている試験対象回線を着信回線として選択すると、加入者プロトコル制御部Ａ４にその旨応答する（Ｒ５）。
そして、加入者プロトコル制御部Ａ４は、選択された試験対象回線にドライバＡ２経由で試験呼を送信し、ＰＢＸ４は呼を着信することとなる（Ｒ６，Ｒ７，Ｒ８）。
【００２６】
以上説明したように、本実施形態のＡＧＷ１によれば、保守制御部Ａ３、加入者管理部Ａ５、ＳＩＰ制御部Ａ７等を備えており、主にこれら各部の連携により回線制御を行っている。
具体的には、保守制御部Ａ３が、加入者側管理部Ａ５に対して、試験回線の閉塞要求や試験呼識別子の設定要求を行うようにしている。
また、加入者側管理部Ａ５は、試験対象回線の閉塞処理を行ったり、その回線を識別するための試験呼識別子の設定を行ったりするだけでなく、ＳＳ７側から受信した試験呼識別子に対応する回線をＰＢＸ４向けの着信回線として選択する着信回線選択制御（着信制御手段）を行う。
【００２７】
このため、ＰＢＸ４との間に接続される回線群２のうち、ユーザの任意の回線を捕捉して着信を行わせることが可能である。
したがって、特定回線についてその正常性等の確認のために、所定の試験呼により回線試験を行うことが出来る。
また、このような試験方法によれば、試験対象回線のみが閉塞されて試験が行われ、回線群２１を構成する他の回線には何ら影響を与えることがないため、運用中に実施することも可能である。
【００２８】
さらに、本実施形態のＡＧＷ１はＳＩＰ制御部Ａ７を備えており、ＳＳ７との間で所定のＳＩＰメッセージの送受信を行うことでＩＰ網との通信を可能としている。
特に、ハードＡ１から発信された試験呼に応答するＳＳ７からの折り返しメッセージであるＳＩＰメッセージを受信し、そのＳＩＰメッセージから試験呼識別子を抽出することによって、着信回線選択制御に必要な識別データを提供するようにしている。
このため、自局のみで特定回線の折り返し試験が出来るようになり、より利便性の高い試験方法を提供できるようになっている。
【００２９】
このように、本実施形態に係るＡＧＷ１によれば、利便性に優れた試験方法を提供することができるとともに、他の回線に影響を与えることのない信頼性に優れた通信システムを提供することが可能である。
【００３０】
［第二実施形態］
次に、本発明の第二実施形態に係るＡＧＷ１について図６を参照しながら説明する。
図６は、本発明の第二実施形態に係るＡＧＷによって構成されたネットワークを示すネットワーク図である。
本実施形態に係るＡＧＷ１は、前述の第一実施形態と同様にＩＰ網（ＶｏＩＰ網）と既存のＰＢＸやその加入者との接続を可能とする中継装置である。
但し、本実施形態では、同一ネットワーク内に複数のＡＧＷ１ａ，１ｂを有し、ＡＧＷ１ａとＡＧＷ１ｂとがＳＳ７又はＬ３スイッチ（Layer  3  switch）５ａ，５ｂを介して接続されている点に特徴を有する。
【００３１】
このような構成にすることによって、例えば、ＡＧＷ１ａに収容される回線２１を閉塞し、この回線２１に対応する識別子として"c1"を設定した場合、ＡＧＷ１ｂから識別子c1を指定して発信することにより所定の回線（回線２１）を介して着信させることが出来るようになる。
つまり、異なる中継装置間でも本発明の回線制御を実行することが可能となる。
さらに、本実施形態の場合、Ｌ３を介して発着信が行うことも可能なため、ＳＳ７を介することなく、ネットワーク負荷を軽減させることも可能である。
【００３２】
このように、本実施形態のＡＧＷ１ａ及びＡＧＷ１ｂを用いたネットワーク構成によれば、第一実施形態と同様の効果が発揮されるだけでなく、複数のＡＧＷ１ａ，１ｂ間においても本発明の回線制御ができ、特定回線を対象とした試験を複合的に行うことができる。
このため、さらに利便性に優れ、様々な形態をもつネットワークにおいても応用できるようになる。
【００３３】
以上、本発明の中継装置、回線制御システム、回線制御方法について、好ましい実施形態を示して説明したが、本発明にかかる中継装置、回線制御システム、回線制御方法は、上述した実施形態にのみ限定されるものではなく、本発明の範囲で種々の変更実施が可能であることは言うまでもない。
例えば、本発明の中継装置は、着信試験に限らず、特定回線を指定した発信時の試験に応用しても良い。
また、上述のような回線試験に限らず、例えば、災害時の有線回線その他の重要回線を捕捉して発着信させるためのシステムであっても良い。
このように、本発明によれば、様々なシステムに応用することができ、拡張性に優れた中継装置を実現することが可能である。
【産業上の利用可能性】
【００３４】
本発明は、ＰＳＴＮ網とＩＰ網と中継するゲートウェイ装置に好適に利用することができる。
【図面の簡単な説明】
【００３５】
【図１】本発明の第一実施形態に係るＡＧＷの基本構成を示す機能ブロック図である。
【図２】本発明の第一実施形態に係るＡＧＷを介したアクセス制御を模式的に表した模式図である。
【図３】本発明の第一実施形態に係るＡＧＷの動作手順を示した第一のシーケンス図である。
【図４】本発明の第一実施形態に係るＡＧＷの動作手順を示した第二のシーケンス図である。
【図５】本発明の第一実施形態に係るＡＧＷの動作手順を示した第三のシーケンス図である。
【図６】本発明の第二実施形態に係るＡＧＷによって構成されたネットワークを示すネットワーク図である。
【図７】電話網とＩＰ網とを中継する従来のアクセスゲートウェイを模式的に示した模式図である。
【符号の説明】
【００３６】
１  ＡＧＷ（アクセスゲートウェイ）
２  回線群
４  ＰＢＸ（構内交換機）
５  Ｌ３スイッチ（Layer  3スイッチ）
７  ＳＳ（ＳＩＰサーバ）
４１，４２，４３  加入者
【図１】
2009177545.tif 000003
【図２】
2009177545.tif 000004
【図３】
2009177545.tif 000005
【図４】
2009177545.tif 000006
【図５】
2009177545.tif 000007
【図６】
2009177545.tif 000008
【図７】
2009177545.tif 000009